(57)【特許請求の範囲】
【請求項１】
プレートの表面にゴルフクラブに関する情報を表示すると共に、該プレートの裏面にグリップエンドに係合する単一の軸部を突設し、前記プレートを非円形かつ前記軸部廻りに非対称の形状としたグリップ栓を備え、前記グリップエンドに前記グリップ栓が収まる取り付け穴を該グリップ栓の形状に合わせて形成し、前記グリップ栓の軸部を前記グリップエンドに係合させつつ該グリップ栓を前記取り付け穴に嵌め合わせるようにしたゴルフクラブ用グリップ。
【請求項２】
プレートの表面にゴルフクラブに関する情報を表示すると共に、該プレートの裏面にグリップエンドに係合する単一の軸部を突設し、前記プレートを非円形かつ前記軸部廻りに非対称の形状としたグリップ栓と、前記グリップエンドに前記グリップ栓が収まる取り付け穴を該グリップ栓の形状に合わせて形成したグリップとを備え、前記グリップ栓の軸部を前記グリップエンドに係合させつつ該グリップ栓を前記取り付け穴に嵌め合わせるようにしたゴルフクラブ。
【発明の詳細な説明】
【０００１】
【発明の属する技術分野】
本発明は、ゴルフクラブに関する情報を表示するグリップ栓を備えたゴルフクラブ用グリップ及びそのグリップを備えたゴルフクラブに関し、さらに詳しくは、製造時や使用時にグリップ栓が傾くことを防止したゴルフクラブ用グリップ及びゴルフクラブに関する。
【０００２】
【従来の技術】
ゴルフクラブにおいて、クラブの番手等を確認できるような番号や数字を明記したグリップ栓をグリップエンドに装着するようにしたものがある。このグリップ栓はゴルフクラブに関する情報を表示するプレートと、グリップエンドに係合する軸部とから構成されており、通常、プレート及び軸部が平面視で円形になっている。
【０００３】
しかしながら、上述のようにグリップ栓のプレート及び軸部が円形であると、ゴルフクラブの製造時にグリップエンドに装着する際にグリップ栓がクラブヘッドのリーディングエッジ又はフェイスラインに対して傾いた状態、即ちゴルフクラブに関する情報が斜めに表示された状態で着いてしまうことがある。このようにグリップ栓が傾いて装着されると、外観が悪化するため傾きを修正する必要があるのでゴルフクラブの生産性が低下するという問題があった。
【０００４】
また、グリップ栓のプレート及び軸部が円形であると、たとえ製造時にグリップ栓が正しく装着されていても、ゴルフクラブの使用時に傾きを生じてしまうことがある。このようにグリップ栓が傾くとゴルフクラブに関する情報を確認し難くなると共に、場合によってはグリップ栓がグリップエンドから外れてクラブシャフト内にゴミ等の異物が混入してしまうという問題があった。
【０００５】
【発明が解決しようとする課題】
本発明の目的は、製造時や使用時にグリップ栓が傾くことを防止したゴルフクラブ用グリップ及びゴルフクラブを提供することにある。
【０００６】
【課題を解決するための手段】
上記目的を達成するための本発明のゴルフクラブ用グリップは、プレートの表面にゴルフクラブに関する情報を表示すると共に、該プレートの裏面にグリップエンドに係合する単一の軸部を突設し、前記プレートを非円形かつ前記軸部廻りに非対称の形状としたグリップ栓を備え、前記グリップエンドに前記グリップ栓が収まる取り付け穴を該グリップ栓の形状に合わせて形成し、前記グリップ栓の軸部を前記グリップエンドに係合させつつ該グリップ栓を前記取り付け穴に嵌め合わせるようにしたことを特徴とするものである。
【０００７】
また、上記目的を達成するための本発明のゴルフクラブは、プレートの表面にゴルフクラブに関する情報を表示すると共に、該プレートの裏面にグリップエンドに係合する単一の軸部を突設し、前記プレートを非円形かつ前記軸部廻りに非対称の形状としたグリップ栓と、前記グリップエンドに前記グリップ栓が収まる取り付け穴を該グリップ栓の形状に合わせて形成したグリップとを備え、前記グリップ栓の軸部を前記グリップエンドに係合させつつ該グリップ栓を前記取り付け穴に嵌め合わせるようにしたことを特徴とするものである。
【０００８】
このようにグリップ栓のプレートを非円形かつ非対称の形状にすると共に、グリップエンドの取り付け穴をグリップ栓の形状に合わせて形成したことにより、ゴルフクラブの製造時や使用時にグリップ栓がクラブヘッドのリーディングエッジ又はフェイスラインに対して傾くことを防止することができる。
【０００９】
【発明の実施の形態】
以下、本発明の構成について添付の図面を参照して詳細に説明する。
図１は本発明のゴルフクラブを例示するものである。図１において、ゴルフクラブ１はシャフト２の一端にクラブヘッド３が取り付けられ、シャフト２の他端にグリップ４が取り付けられている。
【００１０】
本発明は、上記のようなゴルフクラブ１の番手等を認識できるような番号等を表示するグリップ栓を使用する場合に、グリップ栓のプレートを非円形かつ非対称の形状にすると共に、グリップ栓が収まるグリップエンド４ｅの取り付け穴をグリップ栓の形状に合わせて形成したものである。
【００１１】
図２（ａ）〜（ｃ）及び図３（ａ）〜（ｂ）はそれぞれ本発明に関連するグリップ栓及び該グリップ栓に対応するグリップ（参考例１）を例示するものである。図２（ａ）〜（ｃ）に示すように、グリップ栓５はプレート５ａの表面にゴルフクラブ１に関する情報（１５°＝ロフト角）を表示すると共に、プレート５ａの裏面にグリップエンド４ｅに係合する軸部５ｂが突設されている。この軸部５ｂの先端には脱落防止用のアンカーが形成されている。図２（ａ）〜（ｃ）において、軸部５ｂは軸方向先端側から見た断面視で円形に形成されているものの、プレート５ａは平面視で三角形に形成されている。一方、図３（ａ）〜（ｂ）に示すように、グリップ栓５が収まるグリップエンド４ｅの取り付け穴４ａは上記グリップ栓５の形状に合わせて、プレート５ａに対応する部分が三角形に形成され、軸部５ｂに対応する部分が円形に形成されている。
【００１２】
図４（ａ）〜（ｃ）及び図５（ａ）〜（ｂ）はそれぞれ本発明に関連するグリップ栓及び該グリップ栓に対応するグリップ（参考例２）を例示するものである。図４（ａ）〜（ｃ）において、軸部５ｂは断面視で円形に形成されているものの、プレート５ａは平面視で正方形に形成されている。一方、図５（ａ）〜（ｂ）に示すように、グリップ栓５が収まるグリップエンド４ｅの取り付け穴４ａは上記グリップ栓５の形状に合わせて、プレート５ａに対応する部分が正方形に形成され、軸部５ｂに対応する部分が円形に形成されている。
【００１３】
図６（ａ）〜（ｃ）及び図７（ａ）〜（ｂ）はそれぞれ本発明に関連するグリップ栓及び該グリップ栓に対応するグリップ（参考例３）を例示するものである。図６（ａ）〜（ｃ）において、軸部５ｂは断面視で円形に形成されているものの、プレート５ａは平面視で六角形に形成されている。一方、図７（ａ）〜（ｂ）に示すように、グリップ栓５が収まるグリップエンド４ｅの取り付け穴４ａは上記グリップ栓５の形状に合わせて、プレート５ａに対応する部分が六角形に形成され、軸部５ｂに対応する部分が円形に形成されている。
【００１４】
図８（ａ）〜（ｃ）及び図９（ａ）〜（ｂ）はそれぞれ本発明に関連するグリップ栓及び該グリップ栓に対応するグリップ（参考例４）を例示するものである。図８（ａ）〜（ｃ）において、軸部５ｂは断面視で円形に形成されているものの、プレート５ａは平面視で八角形に形成されている。一方、図９（ａ）〜（ｂ）に示すように、グリップ栓５が収まるグリップエンド４ｅの取り付け穴４ａは上記グリップ栓５の形状に合わせて、プレート５ａに対応する部分が八角形に形成され、軸部５ｂに対応する部分が円形に形成されている。
【００１５】
上述のようにプレート５ａの形状が正多角形であるならば、３〜１２角形が好ましい。また、３〜８角形であれば更に好ましい。
図１０（ａ）〜（ｃ）及び図１１（ａ）〜（ｂ）はそれぞれ本発明に関連するグリップ栓及び該グリップ栓に対応するグリップ（参考例５）を例示するものである。図１０（ａ）〜（ｃ）において、軸部５ｂは断面視で円形に形成されているものの、プレート５ａは平面視で長方形に形成されている。一方、図１１（ａ）〜（ｂ）に示すように、グリップ栓５が収まるグリップエンド４ｅの取り付け穴４ａは上記グリップ栓５の形状に合わせて、プレート５ａに対応する部分が長方形に形成され、軸部５ｂに対応する部分が円形に形成されている。
【００１６】
図１２（ａ）〜（ｃ）及び図１３（ａ）〜（ｂ）はそれぞれ本発明の第１実施形態からなるグリップ栓及び該グリップ栓に対応するグリップを例示するものである。図１２（ａ）〜（ｃ）において、軸部５ｂは断面視で円形に形成されているものの、プレート５ａは平面視で台形に形成されている。一方、図１３（ａ）〜（ｂ）に示すように、グリップ栓５が収まるグリップエンド４ｅの取り付け穴４ａは上記グリップ栓５の形状に合わせて、プレート５ａに対応する部分が台形に形成され、軸部５ｂに対応する部分が円形に形成されている。このようにプレート５ａが非対称の多角形も本発明に包含される。
【００１７】
図１４（ａ）〜（ｃ）及び図１５（ａ）〜（ｂ）はそれぞれ本発明に関連するグリップ栓及び該グリップ栓に対応するグリップ（参考例６）を例示するものである。図１４（ａ）〜（ｃ）において、軸部５ｂは断面視で円形に形成されているものの、プレート５ａは平面視で楕円形に形成されている。一方、図１５（ａ）〜（ｂ）に示すように、グリップ栓５が収まるグリップエンド４ｅの取り付け穴４ａは上記グリップ栓５の形状に合わせて、プレート５ａに対応する部分が楕円形に形成され、軸部５ｂに対応する部分が円形に形成されている。
【００１８】
図１６（ａ）〜（ｃ）及び図１７（ａ）〜（ｂ）はそれぞれ本発明の第２実施形態からなるグリップ栓及び該グリップ栓に対応するグリップを例示するものである。図１６（ａ）〜（ｃ）において、軸部５ｂは断面視で円形に形成されているものの、プレート５ａはそれ自体が平面視で数字形状に形成されている。一方、図１７（ａ）〜（ｂ）に示すように、グリップ栓５が収まるグリップエンド４ｅの取り付け穴４ａは上記グリップ栓５の形状に合わせて、プレート５ａに対応する部分が上記と同じ数字形状に形成され、軸部５ｂに対応する部分が円形に形成されている。
【００１９】
図１８（ａ）〜（ｃ）及び図１９（ａ）〜（ｂ）はそれぞれ本発明の第３実施形態からなるグリップ栓及び該グリップ栓に対応するグリップを例示するものである。図１８（ａ）〜（ｃ）において、軸部５ｂは断面視で円形に形成されているものの、プレート５ａはそれ自体が平面視で文字形状に形成されている。一方、図１９（ａ）〜（ｂ）に示すように、グリップ栓５が収まるグリップエンド４ｅの取り付け穴４ａは上記グリップ栓５の形状に合わせて、プレート５ａに対応する部分が上記と同じ文字形状に形成され、軸部５ｂに対応する部分が円形に形成されている。
【００２０】
上述した各実施形態のようにグリップ栓５のプレート５ａを非円形かつ非対称の形状にすると共に、グリップエンド４ｅの取り付け穴４ａをグリップ栓５の形状に合わせて形成したことにより、ゴルフクラブの製造時や使用時にグリップ栓５がクラブヘッド３のリーディングエッジ又はフェイスラインに対して傾くことを防止することができる。
【００２１】
本発明において、ゴルフクラブに関する情報としてはゴルフクラブの番手、ロフト角、商品名等を表示することができ、その表示方法としては数字、記号、絵柄等を使用することができ、それらをグリップ栓のプレート表面に印刷したり、彫り込むようにしてもよい。
【００２２】
なお、本発明は図１に示すようなアイアンタイプのほか、ウッドタイプのゴルフクラブに適用することも可能である。
【００２３】
【発明の効果】
以上説明したように本発明によれば、プレートの表面にゴルフクラブに関する情報を表示すると共に、該プレートの裏面にグリップエンドに係合する単一の軸部を突設し、前記プレートを非円形かつ前記軸部廻りに非対称の形状としたグリップ栓を備え、前記グリップエンドに前記グリップ栓が収まる取り付け穴を該グリップ栓の形状に合わせて形成し、前記グリップ栓の軸部を前記グリップエンドに係合させつつ該グリップ栓を前記取り付け穴に嵌め合わせるようにしたことにより、ゴルフクラブの製造時や使用時にグリップ栓がクラブヘッドのリーディングエッジ又はフェイスラインに対して傾くことを防止することができる。
【００２４】
従って、ゴルフクラブの製造時にはグリップ栓の位置決めが容易になるので、その生産性を向上することができ、またゴルフクラブの使用時においてもグリップ栓が傾いたり、グリップエンドから外れてクラブシャフト内にゴミ等の異物が入るという不都合を回避することができる。
【図面の簡単な説明】
【図１】  本発明のゴルフクラブを例示する側面図である。
【図２】  本発明に関連するグリップ栓（参考例１）を示すものであり、（ａ）は上面図、（ｂ）は側面図、（ｃ）はＡ−Ａ断面図である。
【図３】  本発明に関連するグリップ（参考例１）の要部を示すものであり、（ａ）は上面図、（ｂ）は斜視図である。
【図４】  本発明に関連するグリップ栓（参考例２）を示すものであり、（ａ）は上面図、（ｂ）は側面図、（ｃ）はＡ−Ａ断面図である。
【図５】  本発明に関連するグリップ（参考例２）の要部を示すものであり、（ａ）は上面図、（ｂ）は斜視図である。
【図６】  本発明に関連するグリップ栓（参考例３）を示すものであり、（ａ）は上面図、（ｂ）は側面図、（ｃ）はＡ−Ａ断面図である。
【図７】  本発明に関連するグリップ（参考例３）の要部を示すものであり、（ａ）は上面図、（ｂ）は斜視図である。
【図８】  本発明に関連するグリップ栓（参考例４）を示すものであり、（ａ）は上面図、（ｂ）は側面図、（ｃ）はＡ−Ａ断面図である。
【図９】  本発明に関連するグリップ（参考例４）の要部を示すものであり、（ａ）は上面図、（ｂ）は斜視図である。
【図１０】  本発明に関連するグリップ栓（参考例５）を示すものであり、（ａ）は上面図、（ｂ）は側面図、（ｃ）はＡ−Ａ断面図である。
【図１１】  本発明に関連するグリップ（参考例５）の要部を示すものであり、（ａ）は上面図、（ｂ）は斜視図である。
【図１２】  本発明の第１実施形態からなるグリップ栓を示すものであり、（ａ）は上面図、（ｂ）は側面図、（ｃ）はＡ−Ａ断面図である。
【図１３】  本発明の第１実施形態からなるグリップの要部を示すものであり、（ａ）は上面図、（ｂ）は斜視図である。
【図１４】  本発明に関連するグリップ栓（参考例６）を示すものであり、（ａ）は上面図、（ｂ）は側面図、（ｃ）はＡ−Ａ断面図である。
【図１５】  本発明に関連するグリップ（参考例６）の要部を示すものであり、（ａ）は上面図、（ｂ）は斜視図である。
【図１６】  本発明の第２実施形態からなるグリップ栓を示すものであり、（ａ）は上面図、（ｂ）は側面図、（ｃ）はＡ−Ａ断面図である。
【図１７】  本発明の第２実施形態からなるグリップの要部を示すものであり、（ａ）は上面図、（ｂ）は斜視図である。
【図１８】  本発明の第３実施形態からなるグリップ栓を示すものであり、（ａ）は上面図、（ｂ）は側面図、（ｃ）はＡ−Ａ断面図である。
【図１９】  本発明の第３実施形態からなるグリップの要部を示すものであり、（ａ）は上面図、（ｂ）は斜視図である。
【符号の説明】
１  ゴルフクラブ
２  シャフト
３  クラブヘッド
４  グリップ
４ａ  取り付け穴
４ｅ  グリップエンド
５  グリップ栓
５ａ  プレート
５ｂ  軸部
【図１】
0004516637.tif 000002
【図２】
0004516637.tif 000003
【図３】
0004516637.tif 000004
【図４】
0004516637.tif 000005
【図５】
0004516637.tif 000006
【図６】
0004516637.tif 000007
【図７】
0004516637.tif 000008
【図８】
0004516637.tif 000009
【図９】
0004516637.tif 000010
【図１０】
0004516637.tif 000011
【図１１】
0004516637.tif 000012
【図１２】
0004516637.tif 000013
【図１３】
0004516637.tif 000014
【図１４】
0004516637.tif 000015
【図１５】
0004516637.tif 000016
【図１６】
0004516637.tif 000017
【図１７】
0004516637.tif 000018
【図１８】
0004516637.tif 000019
【図１９】
0004516637.tif 000020